(57)【要約】【課題】手動補正と自動補正との切り換えを、別途操作キーを設けることなく、操作性良く行うことができるプロジェクタを得る。【解決手段】投写映像の台形歪みを所定方向に補正する操作を行う台形補正キー４４１−１と、台形補正キー４４１−１と逆方向に投写映像の台形歪みを補正する操作を行う台形補正キー４４１−２と、設置面の水平方向に対する傾斜角度を検出する角度検出部４６と、台形補正キー４４１−１又は４４１−２によるキー操作がされたとき、その操作に応じた補正量を出力して手動補正処理を行わせ、台形補正キー４４１−１及び４４１−２が共にキー操作されたとき、角度検出部４６が検出した傾斜角度に応じた補正量を出力して自動補正処理を行わせる制御部２０と、制御部２０から与えられた補正量に応じた投写映像の台形歪み補正を行う台形歪補正部３４とを備える。【選択図】図１
2008079016.tif 000002
【特許請求の範囲】
【請求項１】
投写映像の台形歪みを所定方向に補正する操作を行う第１の台形補正キーと、
前記第１の台形補正キーと逆方向に投写映像の台形歪みを補正する操作を行う第２の台形補正キーと、
設置面の水平方向に対する傾斜角度を検出する角度検出部と、
前記第１又は第２の台形補正キーによるキー操作がされたとき、その操作に応じた補正量を出力して手動補正処理を行わせ、前記第１及び第２の台形補正キーが共にキー操作されたとき、前記角度検出部が検出した傾斜角度に応じた補正量を出力して自動補正処理を行わせる制御部と、
前記制御部から与えられた補正量に応じた投写映像の台形歪み補正を行う台形歪補正部と
を備えたことを特徴とするプロジェクタ。
【請求項２】
入力された映像信号を変換して投写映像用の映像信号を生成する映像信号処理部を備え、
前記制御部は、前記手動補正処理と前記自動補正処理とを識別し、識別した前記手動補正処理又は前記自動補正処理の処理状態を示す表示情報を前記映像信号処理部に出力し、
前記映像信号処理部は、入力された映像信号と、入力された表示情報に基づき生成した表示映像信号とを合成して合成映像信号を生成する
ことを特徴とする請求項１記載のプロジェクタ。
【請求項３】
入力された映像信号を変換して投写映像用の映像信号を生成する映像信号処理部を備え、
前記制御部は、前記補正量の情報を表示情報として前記映像信号処理部に出力し、
前記映像信号処理部は、入力された映像信号と、入力された前記表示情報に基づき生成した表示映像信号とを合成して合成映像信号を生成する
ことを特徴とする請求項１記載のプロジェクタ。
【請求項４】
前記制御部は、前記手動補正処理と前記自動補正処理とでそれぞれ異なる色相の情報を前記表示情報として又は前記表示情報に含めて前記映像信号処理部に出力することを特徴とする請求項２又は３記載のプロジェクタ。
【請求項５】
前記制御部は、前記角度検出部が検出した傾斜角度の情報と、該傾斜角度に対する補正量の実績値の情報とを記憶させる記憶部を備え、
前記角度検出部が検出した傾斜角度と、前記記憶部に記憶された当該傾斜角度に対する補正量の実績値の情報とに基づき、補正量を生成して前記台形歪補正部に出力することを特徴とする請求項１〜４の何れかに記載のプロジェクタ。
【請求項６】
請求項１〜５の何れかに記載のプロジェクタの制御部をコンピュータにより実現させることを特徴とするプログラム 。
【請求項７】
請求項２〜５の何れかに記載のプロジェクタの映像信号処理部をコンピュータにより実現させることを特徴とするプログラム 。
【発明の詳細な説明】
【技術分野】
【０００１】
本発明は、プロジェクタに関し、特に、映像の歪みを補正するプロジェクタに関する。
【背景技術】
【０００２】
従来のプロジェクタとしては、例えば、「あおり投写した画像の台形歪み補正を行うプロジェクタであって、画像を投写するために必要となるユーザ操作を検出する操作検出部と、前記プロジェクタの設置角度を検出する角度検出部と、前記ユーザ操作を検出した場合に、前記設置角度に応じて前記台形歪み補正を行う画像補正部と、を備える」ものが提案されている（例えば、特許文献１参照）。
【０００３】
【特許文献１】特開２００３−２８３９６３号公報（請求項１）
【発明の開示】
【発明が解決しようとする課題】
【０００４】
従来のプロジェクタは、スクリーンの投写面（以下、スクリーン上ともいう）の法線と投写光の中心軸との傾きにより生じる台形状の歪み（以下、台形歪という）を補正する際、メニュー操作などにより、キー操作に基づいた補正（以下、手動補正という）を行うか、検出した設置角度に基づいた補正（以下、自動補正という）を行うかを切り換えて、別途切換操作キーを設けることなく手動補正又は自動補正の切換を可能としている。
しかしながら、スクリーン自体が傾いていた場合など、自動補正で台形歪が是正されず、自動補正を行った後に手動補正が必要なことがある。この際に、メニュー操作などにより自動補正と手動補正との面倒な切換操作が必要となる、という問題点があった。
また、手動又は自動補正処理の何れの処理を行っているかを識別することができない、という問題点があった。
また、台形歪補正の補正量を定量的に把握することができない、という問題点があった。
さらに、自動補正で台形歪が是正されず、自動補正を行った後に手動補正が自動補正を行った場合であっても、再度、自動補正を行うと、検出した設置角度に基づいた補正を行い、再度の手動補正を行う必要がある、という問題点があった。
【０００５】
本発明は、このような問題点を解決するためになされたものであり、手動補正と自動補正との切り換えを、別途操作キーを設けることなく、操作性良く行うことができるプロジェクタを得ることを目的とする。
【課題を解決するための手段】
【０００６】
本発明に係るプロジェクタは、投写映像の台形歪みを所定方向に補正する操作を行う第１の台形補正キーと、前記第１の台形補正キーと逆方向に投写映像の台形歪みを補正する操作を行う第２の台形補正キーと、設置面の水平方向に対する傾斜角度を検出する角度検出部と、前記第１又は第２の台形補正キーによるキー操作がされたとき、その操作に応じた補正量を出力して手動補正処理を行わせ、前記第１及び第２の台形補正キーが共にキー操作されたとき、前記角度検出部が検出した傾斜角度に応じた補正量を出力して自動補正処理を行わせる制御部と、前記制御部から与えられた補正量に応じた投写映像の台形歪み補正を行う台形歪補正部とを備えたものである。
本発明においては、第１又は第２の台形補正キーによるキー操作がされたとき、その操作に応じた補正量を台形歪補正部に出力して手動補正処理を行わせ、第１及び第２の台形補正キーが共にキー操作されたとき、角度検出部が検出した傾斜角度に応じた補正量を生成して台形歪補正部に出力して自動補正処理を行わせており、このため、手動補正と自動補正との切り換えを、別途操作キーを設けることなく、操作性良く行うことができる。
【０００７】
本発明に係るプロジェクタは、入力された映像信号を変換して投写映像用の映像信号を生成する映像信号処理部を備え、前記制御部は、前記手動補正処理と前記自動補正処理とを識別し、識別した前記手動補正処理又は前記自動補正処理の処理状態を示す表示情報を前記映像信号処理部に出力し、前記映像信号処理部は、入力された映像信号と、入力された表示情報に基づき生成した表示映像信号とを合成して合成映像信号を生成する。
本発明においては、手動補正処理と自動補正処理とを識別する表示情報に基づき生成した表示映像信号と入力された映像信号とを合成した合成映像信号による映像を投写しており、このため、手動又は自動補正処理の何れの処理を行っているかを識別することができる。
【０００８】
本発明に係るプロジェクタは、入力された映像信号を変換して投写映像用の映像信号を生成する映像信号処理部を備え、前記制御部は、前記補正量の情報を表示情報として前記映像信号処理部に出力し、前記映像信号処理部は、入力された映像信号と、入力された前記表示情報に基づき生成した表示映像信号とを合成して合成映像信号を生成する。
本発明においては、補正量の情報を前記表示情報として表示映像信号と入力された映像信号とを合成した合成映像信号による映像を投写しており、このため、台形歪補正の補正量を定量的に把握することができる。
【０００９】
本発明に係るプロジェクタにおいて、前記制御部は、前記手動補正処理と前記自動補正処理とでそれぞれ異なる色相の情報を前記表示情報として又は前記表示情報に含めて前記映像信号処理部に出力する。
本発明においては、手動補正処理と自動補正処理とでそれぞれ異なる色相の表示映像信号と入力された映像信号とを合成した合成映像信号による映像を投写しており、このため、手動又は自動補正処理の何れの処理を行っているかを色相により識別することができる。
【００１０】
本発明に係るプロジェクタは、前記制御部は、前記角度検出部が検出した傾斜角度の情報と、該傾斜角度に対する補正量の実績値の情報とを記憶させる記憶部を備え、前記角度検出部が検出した傾斜角度と、前記記憶部に記憶された当該傾斜角度に対する補正量の実績値の情報とに基づき、補正量を生成して前記台形歪補正部に出力する。
本発明においては、記憶部に記憶された当該傾斜角度に対する補正量の実績値の情報とに基づき、補正量を生成しており、このため、自動補正で台形歪が是正されず、自動補正を行った後に手動補正が自動補正を行った場合の補正量の実績値が記憶され、再度自動補正処理を行うとき、再度手動補正による操作を行う必要がない。
【００１１】
本発明に係るプログラムは、上記の制御部をコンピュータにより実現するものである。
【００１２】
本発明に係るプログラムは、上記の映像信号処理部をコンピュータにより実現するものである。
【発明を実施するための最良の形態】
【００１３】
実施の形態１．
図１は実施の形態１に係るプロジェクタの構成を示すブロック図、図２は実施の形態１に係る操作パネルの構成を示す図である。図に示すように、プロジェクタ１は、光源１１と、液晶ライトバルブ１２Ｒ，１２Ｇ，１２Ｂ（以下、区別しない場合は単に「液晶ライトバルブ１２」という）と、投写光学系１３と、液晶ライトバルブ駆動部１４と、制御部２０と、映像信号処理部３２と、フレームメモリ３３と、台形歪補正部３４と、フォーカス制御部４１と、ズーム制御部４２と、操作信号処理部４３と、操作パネル４４と、記憶部４５と、角度検出部４６とを備えている。また、映像信号処理部３２には、ＯＳＤ（オンスクリーンディスプレイ）処理部３２０を有し、制御部２０には、演算部２１を有している。さらに、操作パネル４４には、台形補正キー４４１−１，４４１−２を有している。
【００１４】
制御部２０は、映像信号処理部３２、台形歪補正部３４、フォーカス制御部４１、ズーム制御部４２、操作信号処理部４３、記憶部４５及び角度検出部４６と接続され、この制御部２０は、マイクロプロセッサ等により構成し、記憶部４５に記憶された制御プログラム等を実行して、プロジェクタ１の動作を統括制御し、制御部２０に接続された各部から入力される各種データを演算部２１により演算するとともに、演算結果を前記各部に出力する。また、制御部２０は、後述する動作により、台形補正キー４４１のキー操作に応じて、キー操作の操作量に応じて補正する手動補正処理、又は、角度検出部４６が検出した角度に応じて補正する自動補正処理を台形歪補正部３４に行わせる。
【００１５】
映像入力部３１は、外部の映像供給装置ＰＣからの映像信号を取り込んで、それが例えばアナログ映像信号の場合にはデジタルの映像信号に変換する等の処理をし、映像信号処理部３２に出力する。
【００１６】
映像信号処理部３２には、フレームメモリ３３が接続されており、この映像信号処理部３２は、マイクロプロセッサ等により構成し当該映像信号処理部３２に格納したプログラムを実行することにより、映像入力部３１からの映像信号を１フレーム（１画面）毎にフレームメモリ３３に記憶させると共に、フレームメモリ３３に記憶された映像（以下、フレーム映像ともいう）を読み出す機能を有し、映像信号の解像度を液晶ライトバルブ１２の解像度に合わせる解像度変換等の各種映像処理を施してデジタルの映像データを生成することにより、入力された映像信号を変換して投写映像用の映像信号である映像データを生成する。尚、供給される映像信号としては、例えば、パーソナルコンピュータから出力されたコンピュータ映像を表すＲＧＢ信号や、ビデオレコーダやテレビジョン受信機から出力された動画を表すコンポジット映像信号などの映像信号が供給される。
【００１７】
また、映像信号処理部３２のＯＳＤ処理部３２０は、制御部２０からの命令に従って、プロジェクタ１の各種状態を表す文字や記号、画質調整等を行う際のメニュー映像や台形歪補正の補正量を表示する台形補正ゲージ１００（後述）等の表示映像信号としてのＯＳＤ映像信号と、入力された映像信号とを合成して、合成映像信号として映像データを生成し、台形歪補正部３４に供給する。尚、ＯＳＤ映像を表示しない場合には、上記合成処理を行わず、フレームメモリ３３から読み出したフレーム映像が、そのまま映像データとして台形歪補正部３４に供給される。
【００１８】
台形歪補正部３４は、スクリーンＳＣの投写面に対してプロジェクタ１から射出される投写光を傾けた状態で投写（あおり投写）した場合に生じる台形歪を是正するために、制御部２０から与えられた補正量に応じて入力された映像データの補正を行い、補正した映像データを液晶ライトバルブ駆動部１４に出力する。台形歪補正部３４の処理については、さらに後述する。尚、台形歪が生じていない場合には、前記補正を行わず、映像信号処理部３２から出力された映像データがそのまま液晶ライトバルブ駆動部１４に供給される。
【００１９】
液晶ライトバルブ駆動部１４は、入力された映像データに応じて、液晶ライトバルブ１２Ｒ，１２Ｇ，１２Ｂを駆動する。液晶ライトバルブ１２Ｒ，１２Ｇ，１２Ｂは、複数の画素（図示せず）がマトリクス状に形成されており、液晶ライトバルブ駆動部１４により各画素の透過率が調整されることにより、光源１１から射出された光を変調する。液晶ライトバルブ１２Ｒ，１２Ｇ，１２Ｂから射出される映像光は、クロスダイクロイックプリズム（図示せず）により合成され投写光学系１３によってスクリーンＳＣ上に拡大投写される。また、投写光学系１３には、投写光の焦点を変更可能なフォーカス機構と、投写光の拡大率を変更可能なズーム機構とが備えられている。
【００２０】
フォーカス制御部４１は、制御部２０からの指示に従って、投写光学系１３のフォーカス機構を構成するフォーカスレンズを光軸方向に移動させることにより、フォーカス状態を調整することが可能になっている。また、フォーカス制御部４１は、フォーカスの調整量、即ちフォーカスレンズの移動量（フォーカス量）を検知することも可能になっており、検知したフォーカス量を制御部２０に出力することができる。
【００２１】
ズーム制御部４２は、制御部２０からの指示に従って、投写光学系１３のズーム機構を構成するズームレンズを光軸方向に移動させて焦点距離を変更することにより、スクリーンＳＣ上に表示される映像の拡大率を変更することが可能になっている。また、ズーム制御部４２は、焦点距離、即ちズームレンズの移動量（ズーム量）を検知するズーム量検知部としても機能し、検知したズーム量を制御部２０に出力することができる。
【００２２】
操作パネル４４は、図２に示すように、台形歪の補正方向に応じた操作を行う第１の台形補正キーである台形補正キー４４１−１、第２の補正キーである台形補正キー４４１−２（以下、区別しない場合は単に「台形補正キー４４１」という）及びプロジェクタ１の状態変更等を行うための各種スイッチ類を有し、ユーザによるキー操作に応じた操作信号を操作信号処理部４３に出力する。また、リモートコントローラ（以下、単に「リモコン」と呼ぶ）ＲＣは、プロジェクタ１の状態変更等を行うための各種スイッチ類を有し、ユーザによるキー操作に応じた操作信号を操作信号処理部４３に出力する。操作信号処理部４３は、操作パネル４４又はリモコンＲＣから入力された操作信号を受信し、これを制御部２０に出力する。
【００２３】
記憶部４５は、制御部２０が実行する制御プログラム、ＯＳＤ映像を生成するための表示情報であるＯＳＤ映像データを記憶するとともに、プロジェクタ１の各種設定値等を記憶する。さらに、記憶部４５には、投写光軸の水平方向に対する傾斜角度に応じた台形歪補正の補正量の情報が記憶されている。
【００２４】
角度検出部４６は、投写光軸の水平方向に対する傾斜角度を検出して制御部２０に出力する。この角度検出部４６は、例えば加速度センサを用いてプロジェクタ１の設置角度を検出して、検出した角度情報を制御部２０に出力する。尚、角度の検出は、これに限らず、ＣＣＤエリアセンサによってスクリーンＳＣ上に投写された映像を撮像して、撮像された映像に基づき角度検出しても良い。
【００２５】
尚、光源１１、液晶ライトバルブ１２Ｒ，１２Ｇ，１２Ｂ、投写光学系１３、液晶ライトバルブ駆動部１４は、本発明における映像投写部に相当し、制御部２０、演算部２１、記憶部４５は、本発明における制御部に相当する。
【００２６】
このような構成により、本実施の形態１のプロジェクタ１は、映像供給装置ＰＣから入力された映像信号に対応する映像が、スクリーンＳＣ上に投写される。
【００２７】
ところで、スクリーンＳＣの投写面に映像を表示する際に、プロジェクタ１から射出される投写光の中心軸とスクリーンＳＣの投写面の法線とが一致していない場合には、スクリーンＳＣの投写面に表示される映像は略台形状に歪む。換言すれば、プロジェクタ１が映像をあおり投写する場合には、投写映像は、略台形状に歪む。これは、プロジェクタ１から射出される光がスクリーンＳＣ上に達するまでの距離が、投写映像内の各点で異なることに起因する。
【００２８】
このような映像歪み（台形歪み）は、液晶ライトバルブ１２に供給される映像データを調整することによって補正する。これにより、スクリーンＳＣ上に投写される映像を歪みのない映像として表示することができる。このような台形歪補正について次に説明する。
【００２９】
図３はプロジェクタの台形歪補正を説明する説明図である。図では、上方に向けてあおり投写を行った場合に、スクリーンＳＣ上に表示される投写映像が上方ほど拡大されて台形状に歪んでいる状態を示している。図３（ａ）は、補正前の状態であり、図３（ｂ）は、補正後の状態を説明する図である。また、図３（ａ−１），（ｂ−１）は、液晶ライトバルブ１２に入力される映像データ（フレーム映像）を示す図であり、図３（ａ−２），（ｂ−２）は、スクリーンＳＣ上に投写される投写映像を示す図である。
【００３０】
図３（ａ−１）に示すように、台形歪補正部３４が映像データを調整しない場合には、映像１２ａが液晶ライトバルブ１２Ｒ，１２Ｇ，１２Ｂに形成される。このとき、スクリーンＳＣ上には、図３（ａ−２）に示すように、上側に膨らんだ略台形形状の映像Ｇ１が表示される。
【００３１】
そこで、台形歪補正部３４は、制御部２０から入力された補正量に基づき、図３（ｂ−１）に示すように、映像データを調整して、映像信号に基づいた映像（実映像Ｇ２）を形成するための映像形成領域１２ｂを、液晶ライトバルブ１２の画素領域１２ａ内に定める。即ち、台形歪が相殺されて実映像Ｇ２が正規の形状でスクリーンＳＣ上に表示されるように、映像形成領域１２ｂを投写映像Ｇ１と反対向きの台形形状とするとともに、映像形成領域１２ｂの外側の領域１２ｃに含まれる各画素の透過率が最小となるように映像データを補正することにより、図３（ｂ−２）に示すように、実映像Ｇ２が正規の形状でスクリーンＳＣ上に表示される。
【００３２】
このような台形歪補正を行わせるため、制御部２０は、操作パネル４４の台形補正キー４４１−１又は４４１−２によるキー操作がされたとき、その操作に応じた補正量を台形歪補正部３４に出力して手動補正処理を行わせ、操作パネル４４の台形補正キー４４１−１又は４４１−２が共にキー操作されたとき、角度検出部４６が検出した傾斜角度に応じた補正量を生成して台形歪補正部３４に出力して自動補正処理を行わせることにより、スクリーンＳＣ上に表示される映像の歪みが補正される。このような動作の詳細を図４に基づき次に説明する。
【００３３】
図４は実施の形態１に係る台形歪補正の動作を示すフローチャートである。
ユーザにより操作パネル４４の台形補正キー４４１−１又は４４１−２の何れかが押下されると、操作信号処理部４３は、キー入力に応じた操作信号を受信し、この操作信号を制御部２０へ入力する。制御部２０は、入力された操作信号により、台形補正キー４４１の操作を検出し（Ｓ１）、台形歪補正部３４に対して、台形歪補正を１ステップ実行（手動補正処理）させる（Ｓ２）。ここで、台形歪補正の１ステップは、台形補正キー４４１−１又は４４１−２のキー入力に応じた補正方向に対して、所定量の台形歪補正を行う。
【００３４】
制御部２０は、台形歪補正を１ステップ実行後、タイマーをスタートさせ（Ｓ３）、リピート開始までの時間（Ｔ１）が経過するまでの間に、台形補正キー４４１が離されたか否かを判断する（Ｓ４）。台形補正キー４４１が離されたときは台形歪処理を終了し（Ｓ５）、台形補正キー４４１が離されていないとき、台形補正キー４４１−１及び４４１−２が共に押下されたか否かを判断する（Ｓ６）。
【００３５】
リピート開始までの時間（Ｔ１）の間に、台形補正キー４４１−１及び４４１−２が共に押下されないとき、即ち、継続して一方の台形補正キー４４１が押されていたとき（Ｓ７）、制御部２０は、台形歪補正部３４に対して、台形歪補正を１ステップ実行させて（Ｓ８）、タイマーをスタートさせる（Ｓ９）。
【００３６】
リピート間隔時間（Ｔ２）が経過するまでの間に、台形補正キー４４１−１及び４４１−２が共に押下されたか否かを判断し（Ｓ１０）、リピート間隔時間（Ｔ２）が経過するまでの間に、台形補正キー４４１が離されたか否かを判断する（Ｓ１１）。台形補正キー４４１が離されていないとき、即ち、リピート間隔時間（Ｔ２）の間、継続して一方の台形補正キー４４１が押されていたとき、台形歪補正を１ステップ実行させる（Ｓ８）。このように、継続して台形補正キー４４１入力があるとき、上述の手順Ｓ８〜１１を繰り返し、台形歪補正を行う。
【００３７】
一方、リピート開始までの時間（Ｔ１）又はリピート間隔時間（Ｔ２）が経過する前に、台形補正キー４４１−１及び４４１−２が共に押下されたとき、制御部２０は、角度検出部４６により検出された角度情報と、記憶部４５に記憶された角度情報に対する補正量に基づき、傾斜角度に応じた補正量を生成して台形歪補正部３４に出力して自動補正処理を行わせ（Ｓ１４，Ｓ１５）、台形歪補正処理を終了する（Ｓ１６）。
【００３８】
以上のように本実施の形態１においては、第１又は第２の台形補正キーによるキー操作がされたとき、その操作に応じた補正量を台形歪補正部に出力して手動補正処理を行わせ、第１及び第２の台形補正キーが共にキー操作されたとき、角度検出部が検出した傾斜角度に応じた補正量を生成して台形歪補正部に出力して自動補正処理を行わせており、このため、手動補正と自動補正との切り換えを、別途操作キーを設けることなく、操作性良く行うことができる。
【００３９】
実施の形態２．
本実施の形態２においては、上記実施の形態１の動作に加え、台形歪補正処理を行う際、その補正量を投写映像に表示すると共に、手動又は自動の何れの処理を行っているかを識別表示する。尚、その他の動作及び構成は実施の形態１と同様である。
【００４０】
図５は実施の形態２に係る台形歪補正の補正量表示を示す図である。
本実施の形態２における制御部２０は、上述の実施の形態１と同様の動作により、台形補正キーを検出し、台形歪補正の１ステップ実行（手動補正処理）を指示した際（Ｓ２）、制御部２０は、記憶部４５に記録された台形補正ゲージ１００に関するＯＳＤ映像データを読み出し、読み出したＯＳＤ処理データに手動補正処理を識別する色相（例えば、赤色）の情報を含め、台形歪補正部３４へ出力する補正量の情報と共に、映像信号処理部３２へ入力する。映像信号処理部３２は、入力されたＯＳＤ映像データと補正量の情報とに基づき、図５に示すような当該補正量を表示する台形補正ゲージ１００に対するＯＳＤ映像信号をＯＳＤ処理部３２０により生成し、入力された映像信号と合成した映像データを出力する。
【００４１】
また、制御部２０は、上述の実施の形態１と同様の動作により、台形補正キー４４１−１及び４４１−２が共に押下され、傾斜角度に応じた補正量を生成して台形歪補正部３４に出力して自動補正処理を行わせる際（Ｓ１４，Ｓ１５）、記憶部４５に記録された台形補正ゲージ１００に関するＯＳＤ映像データを読み出し、読み出したＯＳＤ処理データに自動補正処理を識別する色相（例えば、青色）の情報を含め、台形歪補正部３４へ出力する補正量の情報と共に、映像信号処理部３２へ入力する。映像信号処理部３２は、入力されたＯＳＤ映像データと補正量の情報とに基づき、図５に示すような当該補正量を表示する台形補正ゲージ１００に対するＯＳＤ映像信号をＯＳＤ処理部３２０により生成し、入力された映像信号と合成した映像データを出力する。
【００４２】
このような動作により、台形歪補正処理を行う際、その補正量及び手動又は自動の何れの処理を行っているかを色相により識別する台形補正ゲージ１００が投写映像に投写される。
【００４３】
以上のように本実施の形態２においては、上記実施の形態１の効果に加え、台形歪の補正量の情報を表示したＯＳＤ映像信号と入力された映像信号とが合成された合成映像信号による映像を投写しているので、台形歪補正の補正量を定量的に把握することができる。
【００４４】
また、手動補正処理と自動補正処理とでそれぞれ異なる色相の台形補正ゲージ１００が合成された映像を投写しているので、手動又は自動補正処理の何れの処理を行っているかを色相により識別することができる。
【００４５】
尚、上記説明では、手動又は自動の何れの処理を行っているかを色相により識別したが、本発明はこれに限らず、手動又は自動補正処理を識別する表示情報で良く、例えば文字、記号などの情報でも良い。
【００４６】
実施の形態３．
本実施の形態においては、上記実施の形態１又は２の動作に加え、自動補正により台形歪補正処理を行う際、前回自動補正を行った補正量の実績値の情報に基づいた台形歪補正を行う。尚、その他の動作及び構成は実施の形態１と同様である。
【００４７】
本実施の形態３における記憶部４５には、上述した予め記憶された傾斜角度に応じた補正量の情報に加え、角度検出部４６が検出した傾斜角度の情報と制御部２０が出力した補正量の実績値の情報とを記憶する実績値対応テーブルを備える。
【００４８】
制御部２０は、上述の実施の形態１と同様の動作により、手動補正処理（Ｓ２，Ｓ８）の後、台形補正キー４４１が離されて台形歪処理を終了させた際（Ｓ５，Ｓ１３）、及び、自動補正処理を行わせ（Ｓ１４，Ｓ１５）、台形歪補正処理を終了させた際（Ｓ１６）、台形歪補正部３４へ出力した補正量の情報を補正量の実績値の情報として、角度検出部４６により検出された角度情報と共に、記憶部４５の実績値対応テーブルに記録する。
【００４９】
再度、台形補正キー４４１−１及び４４１−２が共に押下され、上述の実施の形態１と同様の動作により、自動補正処理を行わせる際（Ｓ１４，Ｓ１５）、制御部２０は、まず、記憶部４５の実績値対応テーブルを参照し、当該傾斜角度に応じた補正量の実績値が記憶されている場合は当該補正量の実績値を台形歪補正部３４に出力する。一方、当該傾斜角度に応じた補正量の実績値が記憶されていない場合は、予め記憶された傾斜角度に応じた補正量を台形歪補正部３４に出力する。
【００５０】
以上のように本実施の形態３では、傾斜角度の情報と制御部２０が出力した補正量の実績値の情報とを記憶する実績値対応テーブルを備えて、再度自動補正処理を行うとき、実績値対応テーブルを参照して補正量を生成するので、スクリーンＳＣ自体が傾いていた場合など、自動補正で台形歪が是正されず、自動補正を行った後に手動補正が自動補正を行った場合の補正量の実績値が記憶され、電源を遮断して再度電源投入する場合に、再度、手動補正による操作を行う必要がない。
【００５１】
尚、上記実施の形態１〜３では、液晶ライトバルブ１２を用いて、光源１１から射出された光を変調したが、本発明はこれに限らず、他の空間光変調器を用いても良く、例えば、半導体基板の上に敷き詰められた微小面積のミラーの傾きを映像データに基いて制御することによって映像を投写するＤＭＤ（Digital Micro Mirror Device）（登録商標）を用いても良い。
【図面の簡単な説明】
【００５２】
【図１】実施の形態１に係るプロジェクタの構成を示すブロック図である。
【図２】実施の形態１に係る操作パネルの構成を示す図である。
【図３】プロジェクタの台形歪補正を説明する説明図である。
【図４】実施の形態１に係る台形歪補正の動作を示すフローチャートである。
【図５】実施の形態２に係る台形歪補正の補正量表示を示す図である。
【符号の説明】
【００５３】
１  プロジェクタ、１１  光源、１２Ｒ  液晶ライトバルブ、１２Ｇ  液晶ライトバルブ、１２Ｂ  液晶ライトバルブ、１３  投写光学系、１４  液晶ライトバルブ駆動部、２０  制御部、２１  演算部、３１  映像入力部、３２  映像信号処理部、３３  フレームメモリ、３４  台形歪補正部、４１  フォーカス制御部、４２  ズーム制御部、４３  操作信号処理部、４４  操作パネル、４５  記憶部、４６  角度検出部、１００  台形補正ゲージ、３２０  ＯＳＤ処理部、４４１  台形補正キー、ＰＣ  映像供給装置、ＲＣ  リモコン、ＳＣ  スクリーン。
【図１】
2008079016.tif 000003
【図２】
2008079016.tif 000004
【図３】
2008079016.tif 000005
【図４】
2008079016.tif 000006
【図５】
2008079016.tif 000007